(57)【要約】【課題】屋根材用切断機の全体が不必要に大きくなることを回避できる屋根材用切断機を提供する。【解決手段】本発明による屋根材用切断機は、屋根材１０を切断するための屋根材用切断機であって、固定刃３４２を有する切断機本体３と、長手方向の一端側に設けられた軸部２２を中心に回動可能に切断機本体３に取り付けられ、長手方向の他端側が持ち上げられた状態から他端側が押し下げられることにより、固定刃３４２とともに屋根材１０を切断する可動刃２と、切断機本体３に着脱可能であり、切断機本体３に取り付けられたとき、切断機本体３の側面から突出されるとともに、端面７０ａが固定刃３４２の端面３４２ａの延長線上に位置する延長部材７とを備えている。【選択図】図１４
2019138011.tif 000002
【特許請求の範囲】
【請求項１】
屋根材を切断するための屋根材用切断機であって、
固定刃を有する切断機本体と、
長手方向の一端側に設けられた軸部を中心に回動可能に前記切断機本体に取り付けられ、長手方向の他端側が持ち上げられた状態から前記他端側が押し下げられることにより、前記固定刃とともに前記屋根材を切断する可動刃と、
前記切断機本体に着脱可能であり、前記切断機本体に取り付けられたとき、前記切断機本体の側面から突出されるとともに、端面が前記固定刃の端面の延長線上に位置する延長部材と
を備えている、屋根材用切断機。
【請求項２】
前記延長部材は、直線状に延在する直線部と、前記直線部の一端から突出された挿入突部とを有しており、
前記挿入突部が前記切断機本体の側面に設けられた挿入穴に挿入されたとき、前記直線部の端面が前記固定刃の端面の延長線上に位置する、
請求項１記載の屋根材用切断機。
【発明の詳細な説明】
【技術分野】
【０００１】
本発明は、屋根材を切断する屋根材用切断機に関する。
【背景技術】
【０００２】
従来用いられていたこの種の屋根材用切断機としては、例えば下記の特許文献１等に示されている屋根材用切断機を挙げることができる。従来の屋根材用切断機は、フレーム、フレームに支持された固定刃及びダミー刃、並びにフレームに回動可能に取り付けられた可動刃を有している。フレームには一対の足部が固定されている。例えば屋根下地の上又は地面等の載置面の上に足部の下面が載置される。ダミー刃は、固定刃を延長するようにフレーム内に収められており、屋根材が固定刃よりも長い場合に固定刃の刃先の位置を確認するために使用される。
【先行技術文献】
【特許文献】
【０００３】
【特許文献１】特開２００５−１６２５７号公報
【発明の概要】
【発明が解決しようとする課題】
【０００４】
切断される屋根材が固定刃よりも短い場合にはダミー刃は不要である。上記のような従来の屋根材用切断機では、ダミー刃が固定刃を延長するようにフレーム内に収められているので、ダミー刃を収めるための大きさがフレームに必要とされ、屋根材用切断機の全体が不必要に大きくなっている。
【０００５】
本発明は、上記のような課題を解決するためになされたものであり、その目的は、屋根材用切断機の全体が不必要に大きくなることを回避できる屋根材用切断機を提供することである。
【課題を解決するための手段】
【０００６】
本発明に係る屋根材用切断機は、屋根材を切断するための屋根材用切断機であって、固定刃を有する切断機本体と、長手方向の一端側に設けられた軸部を中心に回動可能に切断機本体に取り付けられ、長手方向の他端側が持ち上げられた状態から他端側が押し下げられることにより、固定刃とともに屋根材を切断する可動刃と、切断機本体に着脱可能であり、切断機本体に取り付けられたとき、切断機本体の側面から突出されるとともに、端面が固定刃の端面の延長線上に位置する延長部材とを備える。
【発明の効果】
【０００７】
本発明の屋根材用切断機によれば、切断機本体に着脱可能であり、切断機本体に取り付けられたとき、切断機本体の側面から突出されるとともに、端面が固定刃の端面の延長線上に位置する延長部材を備えるので、必要なときのみに延長部材を切断機本体に取り付けることができ、不必要に大きくなることを回避できる。
【図面の簡単な説明】
【０００８】
【図１】本発明の実施の形態による屋根材用切断機を示す正面図である。
【図２】図１の屋根材用切断機を示す背面図である。
【図３】図１の屋根材用切断機を示す平面図である。
【図４】図２の固定部を示す説明図である。
【図５】図１の線Ｖ−Ｖに沿う断面図である。
【図６】図１の屋根材用切断機の側面図である。
【図７】図１の第１及び第２足部が収納された状態の屋根材用切断機を示す平面図である。
【図８】図７の屋根材用切断機の使用態様を示す説明図である。
【図９】図１の回動保持機構を拡大して示す拡大正面図である。
【図１０】図９のプランジャの断面図である。
【図１１】図９の回動保持機構により保持される可動刃の回動位置を示す説明図である。
【図１２】図１２は図１の挟み工具を拡大して示す拡大正面図である。
【図１３】図１２の挟み工具にて屋根材を保持している状態を示す説明図である。
【図１４】図３の受部に延長部材が取り付けられている状態を示す平面図である。
【図１５】図１４の延長部材を示す正面図である。
【図１６】図１４の受部の側面を拡大して示す拡大側面図である。
【発明を実施するための形態】
【０００９】
以下、本発明を実施するための形態について、図面を参照して説明する。
実施の形態
図１は本発明の実施の形態による屋根材用切断機１を示す正面図であり、図２は図１の屋根材用切断機１を示す背面図であり、図３は図１の屋根材用切断機１を示す平面図であり、図４は図２の固定部３４４を示す説明図である。
【００１０】
図１〜図３に示す屋根材用切断機１は、屋根材１０（図３参照）を切断するための器具である。屋根材用切断機１によって切断される屋根材１０としては、例えば特開２０１７−９６０４８号公報等に記載された金属屋根材、すなわち金属製の表基材、裏基材並びにこれら表基材及び裏基材の間に充填された発泡樹脂からなる芯材を含む重ね葺き用の金属屋根材を挙げることができる。しかしながら、本実施の形態の屋根材用切断機によって切断される屋根材１０は、上述のような重ね葺き用の金属屋根材に限定されず、例えば嵌合によって連結される嵌合式の金属屋根材又は窯業系屋根材（例えばコロニアル等）等の他の屋根材であってもよい。
【００１１】
図１〜図３に示すように、屋根材用切断機１は、可動刃２と切断機本体３とを有している。
【００１２】
可動刃２は、屋根材用切断機１の奥行方向１ｄに延在する長手状部材である。この可動刃２は、可動刃基体２０に着脱可能に取り付けられた可動刃本体２１を有している。可動刃本体２１は、曲線状の刃先を有する刃物である。
【００１３】
屋根材用切断機１の奥行方向１ｄに係る可動刃２の一端側には、軸部２２が設けられている。可動刃２の可動刃基体２０は、この軸部２２を中心に回動可能に切断機本体３（胴部３４）に取り付けられている。屋根材用切断機１の奥行方向１ｄに係る可動刃２の他端側には、把持部２３が設けられている。把持部２３を把持した作業者が可動刃２の他端側を上下動させることで可動刃２を回動させることができる。以下、説明の便宜のため、屋根材用切断機１の奥行方向１ｄに関して、可動刃２の軸部２２の側を先端側と呼び、可動刃２の把持部２３の側を手元側と呼ぶ。
【００１４】
可動刃２の手元側には、突部２４が形成されている。突部２４は、図１及び図２において実線で示すように可動刃２が押し下げられているときに、切断機本体３（後述の受部３４３）に押し当てられる。このように突部２４が切断機本体３（受部３４３）に押し当てられることで、押し下げ方向への可動刃２の回動が規制される。突部２４には、後述のように可動刃２を切断機本体３に連結して可動刃２を固定する際に利用される連結穴２４ａが形成されている。
【００１５】
可動刃２の上部には、取手２５が設けられている。可動刃２が切断機本体３に連結されているとき、取手２５を持って屋根材用切断機１を持ち運ぶことができる。取手２５は、屋根材用切断機１の奥行方向１ｄに関する屋根材用切断機１の重心位置又はその重心位置の近傍に配置されている。
【００１６】
切断機本体３は、第１及び第２足部３１，３２、連結部３３並びに胴部３４を有している。
【００１７】
第１及び第２足部３１，３２は、屋根材用切断機１の奥行方向１ｄに互いに離間して切断機本体３の下部に配置されている。本実施の形態の第１及び第２足部３１，３２は、下部の一部にゴムシートが貼り付けられた中空部材（角管）によって構成されている。屋根材用切断機１が使用されるとき、例えば屋根下地の上面又は地面等の設置面の上に第１及び第２足部３１，３２の下面が載せられる。すなわち、第１及び第２足部３１，３２の下面は屋根材用切断機１の載置面に相当する。
【００１８】
図３に特に示されているように、可動刃２の長手方向（屋根材用切断機１の奥行方向１ｄ）に交わる方向に第１及び第２足部３１，３２が延在されていることで、可動刃２の長手方向に交わる方向に切断機本体３が倒れないように第１及び第２足部３１，３２が切断機本体３を支えている。屋根材用切断機１の使用時の第１及び第２足部３１，３２の延在方向は、可動刃２の長手方向に直交する方向（屋根材用切断機１の幅方向１ｗ）であることが好ましい。
【００１９】
連結部３３は、第１及び第２足部３１，３２と胴部３４との間に介在されており、これら第１及び第２足部３１，３２と胴部３４とを互いに連結している。
【００２０】
胴部３４は、切断機本体３の上部に設けられた部分であり、連結部３３を介して第１及び第２足部３１，３２に支持されている。後に詳しく説明するように、胴部３４は、胴部３４の全体が一体に傾動可能に第１及び第２足部３１，３２に連結されている。
【００２１】
胴部３４には、胴板部３４０、基台３４１、固定刃３４２、受部３４３、固定部３４４、弾性幕３４５、回動保持機構３４６及び屋根材保持機構３４７が含まれている。
【００２２】
胴板部３４０は、連結部３３から屋根材用切断機１の高さ方向１ｈに延出された板部である。
【００２３】
基台３４１は、屋根材用切断機１の奥行方向１ｄ及び幅方向１ｗに延在された平板体であり、胴板部３４０の上部側面に固定されている。手元側から屋根材用切断機１を見たとき、基台３４１は胴板部３４０から左側方に延出されている。基台３４１の長手方向は、可動刃２の長手方向（屋根材用切断機１の奥行方向１ｄ）に合わされている。
【００２４】
固定刃３４２は、屋根材用切断機１の奥行方向１ｄに延在する直線状の刃先を有する刃物であり、基台３４１とは逆側の胴板部３４０の上部側面に着脱可能に取り付けられている。手元側から屋根材用切断機１を見たとき、固定刃３４２は胴板部３４０の右側面に固定されている。固定刃３４２は、可動刃２の軌道に隣接して配置されている。固定刃３４２の長手方向は、可動刃２の長手方向（屋根材用切断機１の奥行方向１ｄ）に合わされている。
【００２５】
可動刃２が持ち上げられた状態で基台３４１の上に屋根材１０を置いた後に、可動刃２を押し下げることで可動刃２及び固定刃３４２によって屋根材１０を切断することができる。基台３４１の上に屋根材１０を置く際の屋根材１０の向きは、必要とされる切断後の屋根材１０の形状に応じて任意に変更できる。屋根材１０の向きは、図３において符号１０Ａを付して示すように、屋根材１０の長手方向を屋根材用切断機１の幅方向１ｗに合わせる向きとすることができる。また、屋根材１０の向きは、図３において符号１０Ｂを付して示すように、屋根材１０の長手方向を屋根材用切断機１の奥行方向１ｄに合わせる向きとすることができる。さらに、屋根材１０の向きは、符号１０Ａの向きと符号１０Ｂの向きとの中間の向き、すなわち屋根材１０の長手方向を屋根材用切断機１の幅方向１ｗ及び奥行方向１ｄに傾斜させる向きとすることができる。
【００２６】
受部３４３は、固定刃３４２と同様に胴板部３４０の右側面の上部に固定されているとともに、屋根材用切断機１の奥行方向１ｄに関する固定刃３４２の手元側に配置されている。図４に特に表れているように、可動刃２が押し下げられたときに可動刃２の突部２４が受部３４３の上部に押し当てられる。本実施の形態の屋根材用切断機１では、受部３４３の上部が例えばゴム板等の弾性体３４３ａによって構成されており、可動刃２の突部２４が受部３４３の上部に押し当てられた際に作業者の手に作用する衝撃が抑えられている。
【００２７】
固定部３４４は、可動刃２が押し下げられた状態のときに可動刃２を切断機本体３に連結して可動刃２を固定するためのものである。より具体的には、固定部３４４は、突部２４が受部３４３の上部に押し当てられているときに可動刃２を切断機本体３に連結する。図４に特に表れているように、固定部３４４は、固定板３４４ａ、軸部３４４ｂ及び連結具３４４ｃを有している。固定板３４４ａは、軸部３４４ｂを中心に回動可能に受部３４３に取り付けられた長手状の板体である。連結具３４４ｃは、固定板３４４ａの長手方向に関して軸部３４４ｂから離れた位置で固定板３４４ａに取り付けられたノブである。軸部３４４ｂを中心に固定板３４４ａを回動させて、可動刃２の突部２４に設けられた連結穴２４ａに連結具３４４ｃをはめることで、可動刃２を切断機本体３に連結することができる。
【００２８】
弾性幕３４５は、例えば樹脂製の網等の幅を有する弾性体によって構成されるものであり、固定刃３４２の下方において胴板部３４０の右側面に取り付けられている。弾性幕３４５は、第１及び第２足部３１，３２間の空隙を塞ぐように屋根材用切断機１の奥行方向１ｄに延在している。弾性幕３４５は、切断した屋根材１０の端材が第１及び第２足部３１，３２間の空隙を通過できない程度に第１及び第２足部３１，３２間の空隙を塞ぐ開口を有していてよい。但し、開口を有しないゴム板等によって弾性幕３４５を構成して、第１及び第２足部３１，３２間の空隙を完全に塞いでもよい。
【００２９】
回動保持機構３４６は、把持部２３が持ち上げられた状態の少なくとも１つの位置で可動刃２の回動位置を保持するための機構である。屋根材保持機構３４７は、屋根材１０を切断する際に、その屋根材１０を基台３４１上で保持するための機構である。これら回動保持機構３４６及び屋根材保持機構３４７については、後に詳しく説明する。
【００３０】
次に、図５〜図８を用いて連結部３３について説明する。図５は図１の線Ｖ−Ｖに沿う断面図であり、図６は図１の屋根材用切断機１の側面図であり、図７は図１の第１及び第２足部３１，３２が収納された状態の屋根材用切断機１を示す平面図であり、図８は図７の屋根材用切断機１の使用態様を示す説明図である。なお、以下の説明では第１足部３１と胴部３４とを連結する連結部３３について主に説明するが、第２足部３２と胴部３４とを連結する連結部３３も同様の構成を有している。
【００３１】
図５及び図６に示すように、連結部３３は、第１回動基板３３１、第２回動基板３３２、回動軸３３３、回動規制具３３４、蝶番３３５、傾動基板３３６、Ｌ字プレート３３７及び締結具３３８を含んでいる。
【００３２】
第１回動基板３３１は、図６に示すように第１足部３１の上部に固定された平板体である。第２回動基板３３２は、第１回動基板３３１の上部に重ねられた平板体である。回動軸３３３は、第１足部３１の下面に対して垂直に延在された軸体であり、第１回動基板３３１を第２回動基板３３２に回動自在に連結している。回動軸３３３を中心に第１回動基板３３１が回動できることで、図６に示すように第１足部３１の全体が第１足部３１の下面に対して垂直な軸を中心に回動可能とされている。
【００３３】
この第１足部３１と同様に、第２足部３２の全体も第２足部３２の下面に対して垂直な軸を中心に回動可能とされている。図７に示すように、これら第１及び第２足部３１，３２の長手方向を基台３４１の長手方向（屋根材用切断機１の奥行方向１ｄ）と平行となるように第１及び第２足部３１，３２を回動させることができる。このように第１及び第２足部３１，３２を回動させることで、基台３４１の下部に第１及び第２足部３１，３２を収納でき、屋根材用切断機１を持ち運ぶときに第１及び第２足部３１，３２が他の部材等にぶつかる虞を低減できる。
【００３４】
回動規制具３３４は、第１及び第２足部３１，３２の回動を規制して第１及び第２足部３１，３２の回動位置を固定するための器具である。本実施の形態の回動規制具３３４は、第１回動基板３３１の上部に固定されたピン装置によって構成されている。回動規制具３３４は、第１回動基板３３１に設けられた貫通孔を通して第２回動基板３３２に達するピンを有しており、第２回動基板３３２に設けられた複数の穴部３３２ａのいずれかにピンが挿通されることで第１及び第２足部３１，３２の回動を規制する。各穴部３３２ａは、回動軸３３３を中心とする円の周方向に互いに離間して配置されている。本実施の形態では、各穴部３３２ａは、図７に示すように第１及び第２足部３１，３２の長手方向が基台３４１の長手方向と平行となる位置と、図３に示すように第１及び第２足部３１，３２の長手方向が基台３４１の長手方向と直交する位置とで、第１及び第２足部３１，３２の回動位置を固定可能とする位置に配置されている。しかしながら、より多くの穴部３３２ａを設けてより多くの回動位置で第１及び第２足部３１，３２を固定できるようにしてもよい。
【００３５】
蝶番３３５は、胴部３４（胴板部３４０）の下部と第２回動基板３３２とを連結する部材である。胴部３４は、蝶番３３５、第２回動基板３３２、回動軸３３３及び第１回動基板３３１を介して第１及び第２足部３１，３２に連結されている。図６において二点鎖線で示すように、胴部３４は、基台３４１の延在面が第１及び第２足部３１，３２の下面（屋根材用切断機１の設置面）に対して傾斜して延在できるように、基台３４１の長手方向（屋根材用切断機１の奥行方向１ｄ）と平行な軸を中心に傾動可能に蝶番３３５によって第１及び第２足部３１，３２に連結されている。
【００３６】
傾動基板３３６、Ｌ字プレート３３７及び締結具３３８は、胴部３４の傾動位置を固定するための部材である。傾動基板３３６は、第２回動基板３３２に固定された板体であり、第２回動基板３３２の側部から屋根材用切断機１の高さ方向１ｈに延出されている。傾動基板３３６には、胴部３４の傾動軸を中心とする円の周方向に延在された円弧溝３３６ａが形成されている。Ｌ字プレート３３７は、図５に特に表れているように全体としての断面形状がＬ字状となるように第１及び第２板部３３７ａ，３３７ｂが互いに接合された部材である。Ｌ字プレート３３７の第１板部３３７ａは、胴板部３４０に固定されている。Ｌ字プレート３３７の第２板部３３７ｂは、傾動基板３３６と平行に延在されている。締結具３３８は、ノブ等によって構成されるものであり、傾動基板３３６の外側から円弧溝３３６ａを通してＬ字プレート３３７の第２板部３３７ｂに締結されている。締結具３３８の締結を緩めることにより胴部３４の傾動が許容される一方で、締結具３３８の締結を強めることにより胴部３４の傾動が規制されて胴部３４の傾動位置が固定される。
【００３７】
図８に示すように、屋根材用切断機１は、例えば屋根下地の上面等の傾斜面４に載置されて使用される場合がある。第１及び第２足部３１，３２の下面を傾斜面４上に載置しても、胴部３４を傾動させることで基台３４１の延在面を水平に延在させることができる。基台３４１の延在面を水平に延在させることで、切断される屋根材１０を水平に保持できるとともに、可動刃２を押し下げる方向を鉛直方向に沿わせることができる。
【００３８】
ここで、図８に特に示すように、第１及び第２足部３１，３２には、第１足部３１の長手方向の一端に位置する第１端部３１ａと、第１足部３１の長手方向の他端に位置する第２端部３１ｂとが設けられている。胴部３４は、基台３４１の延在面が第１及び第２足部３１，３２の下面と平行な位置から第１及び第２足部３１，３２の第１端部３１ａに近づくように傾動可能とされている。
【００３９】
弾性幕３４５は、傾動時に胴部３４が近づけられる第１端部３１ａに近い側に配置されている。図８に示すように胴部３４が傾動されたときに弾性幕３４５が傾斜面４に沿って撓むことにより、胴部３４が傾動された際に弾性幕３４５の下部と傾斜面４との間に隙間が生じることが防止される。
【００４０】
第１及び第２足部３１，３２の延在方向に関する蝶番３３５の位置を、胴部３４と第１及び第２足部３１，３２との連結位置３１ｃと呼ぶ。連結位置３１ｃから第２端部３１ｂまでの距離Ｄ２は、連結位置３１ｃから第１端部３１ａまでの距離Ｄ１よりも長くされている。上述のように胴部３４が第１及び第２足部３１，３２の第１端部３１ａに近づくように傾動可能とされているため、第２端部３１ｂは、傾斜面４の下方に位置することが想定される。連結位置３１ｃから第２端部３１ｂまでの距離Ｄ２が連結位置３１ｃから第１端部３１ａまでの距離Ｄ１よりも長くされていることで、傾斜面４の下方に向けて屋根材用切断機１が転倒する虞が低減されている。
【００４１】
次に、図９〜図１１を用いて回動保持機構３４６について説明する。図９は図１の回動保持機構３４６を拡大して示す拡大正面図であり、図１０は図９のプランジャ５０の断面図であり、図１１は図９の回動保持機構３４６により保持される可動刃２の回動位置を示す説明図である。
【００４２】
上述のように、回動保持機構３４６は、把持部２３が持ち上げられた状態の少なくとも１つの位置で可動刃２の回動位置を保持するための機構である。可動刃２の回動位置が保持されることで、可動刃２を持ち上げた後に可動刃２から手を離して屋根材１０の準備を行うことができる。
【００４３】
回動保持機構３４６には、プランジャ５０、第１穴部５１及び第２穴部５２が含まれている。
【００４４】
プランジャ５０は、筒体５０１、ナット体５０２、付勢部材５０３、第１球体５０４（被付勢体）、第２球体５０５及び調節ネジ５０６を有している。筒体５０１は、外周面及び内周面にネジが切られた筒状体である。筒体５０１は、切断機本体３に設けられたネジ穴５３に先端側が螺合されていることで切断機本体３に取り付けられている。ナット体５０２は、筒体５０１の外周に取り付けられており、筒体５０１に軸力を付与してネジ穴５３への筒体５０１の螺合が緩まないようにしている。付勢部材５０３は、筒体５０１の内側に挿通されたコイルバネによって構成されている。第１球体５０４は、付勢部材５０３により可動刃２に押し付けられるように付勢部材５０３の一端側に配置されている。第２球体５０５は、付勢部材５０３の他端側に配置されている。調節ネジ５０６は、筒体５０１の基端側から筒体５０１の内側に挿通されており、第２球体５０５を介して付勢部材５０３を押圧するように構成されている。筒体５０１への調節ネジ５０６の挿通量が調節されることにより、付勢部材５０３の圧縮量、すなわち可動刃２への第１球体５０４の押し付け圧力が調整され得る。筒体５０１の内側には潤滑油を入れることができる。
【００４５】
図９に示すように、第１及び第２穴部５１，５２は、軸部２２を中心とした円の周方向に互いに離間して可動刃２の先端側（可動刃２の軸部２２の側）に設けられている。軸部２２から各穴部５１，５２までの距離は、軸部２２からプランジャ５０までの距離と等しくされている。すなわち、第１及び第２穴部５１，５２は、可動刃２が軸部２２を中心に回動された際にプランジャ５０の第１球体５０４が順次はまるように配置されている。
【００４６】
第１穴部５１に第１球体５０４がはまった際、図１１に示す第１回動位置Ｐ１にて可動刃２が保持される。同様に、第２穴部５２に第１球体５０４がはまった際、図１１に示す第２回動位置Ｐ２にて可動刃２が保持される。本実施の形態では、第１回動位置Ｐ１は、突部２４が切断機本体３に押し当てられた状態（図１１にて実線で示す状態）から可動刃２が１５度持ち上げられた位置とされており、第２回動位置Ｐ２は、突部２４が切断機本体３に押し当てられた状態から可動刃２が３０度持ち上げられた位置とされている。
【００４７】
なお、本実施の形態では２つの回動位置で可動刃２を保持するように説明しているが、可動刃２を保持する回動位置の数は任意である。第１球体５０４（被付勢体）は、例えば先端が曲面によって構成されたピン等、可動刃が回動された際に付勢部材の付勢に逆らって穴部から抜け出ることができる他の部材に変更されてもよい。
【００４８】
次に、図１、図１２及び図１３を用いて屋根材保持機構３４７について説明する。図１２は図１の挟み工具６２を拡大して示す拡大正面図であり、図１３は図１２の挟み工具６２にて屋根材１０を保持している状態を示す説明図である。
【００４９】
上述のように、屋根材保持機構３４７は、切断する屋根材１０を基台３４１上で保持するための機構である。屋根材保持機構３４７により屋根材１０を保持できることで、屋根材１０の切断時に屋根材１０を手で支える必要性を低減できる。
【００５０】
屋根材保持機構３４７には、軸体６０、筒体６１及び挟み工具６２が含まれている。軸体６０は、図１に特に表れているように基台３４１の下方で基台３４１の長手方向（屋根材用切断機１の奥行方向１ｄ）に延在された長手状部材である。軸体６０の両端は、胴板部３４０から延出された支持板６０ａによって支持されている。筒体６１は、内側に軸体６０が挿通された部材である。挟み工具６２は、例えば挟持状態を保持できるロッキングプライヤ等によって構成されるものであり、先端部が筒体６１に固定されている。筒体６１の内径は軸体６０の外径よりも大きくされており、挟み工具６２は、筒体６１とともに、軸体６０の長手方向に変位可能かつ軸体６０の周方向に回動可能とされている。
【００５１】
屋根材１０を基台３４１上で保持するとき、任意の位置まで挟み工具６２を軸体６０の長手方向に変位させるとともに、挟み工具６２の先端部が基台３４１上に表れるように挟み工具６２を軸体６０の周方向に回動させ、挟み工具６２の先端部と基台３４１とにより屋根材を挟持する。挟み工具６２の先端部には、基台３４１と平行に延在できる板体６２ａが設けられており、板体６２ａによって挟み工具６２の先端部がより広い面積で屋根材１０に面接触できるようにされている。挟み工具６２が使用されないとき、軸体６０の周方向に挟み工具６２を回動させて挟み工具６２を基台３４１の下方に隠すことができる。
【００５２】
次に、図１４〜図１６を用いて受部３４３に取り付けられる延長部材７について説明する。図１４は図３の受部３４３に延長部材７が取り付けられている状態を示す平面図であり、図１５は図１４の延長部材７を示す正面図であり、図１６は図１４の受部３４３の側面を拡大して示す拡大側面図である。
【００５３】
図３において符号１０Ａで示すように屋根材１０を基台３４１の上に載置する場合のように、屋根材用切断機１の奥行方向１ｄに関して屋根材１０の両側に固定刃３４２が見える場合には、固定刃３４２の位置を目安に屋根材１０の切断位置を確認できる。一方で、図３において符号１０Ｂで示すように屋根材１０を基台３４１の上に載置する場合のように、手元側の固定刃３４２が屋根材１０によって隠される場合には、屋根材１０の切断位置の確認に固定刃３４２を利用することができない。このような場合、図１４に示すように切断機本体３の受部３４３に延長部材７を取り付けて、延長部材７を目安に屋根材１０の切断位置を確認できるようにすることができる。
【００５４】
図１５に示すように、延長部材７は、直線部７０、挿入突部７１及び固定突部７２を有する部材である。直線部７０は、直線状に延在する部分である。挿入突部７１は、直線部７０の一端から突出された突部である。固定突部７２は、挿入突部７１の基端から直線部７０の延在方向に直交する方向に突出された突部である。固定突部７２には、貫通孔７２ａが設けられている。
【００５５】
図１６に示すように、受部３４３の側面には、挿入穴３４３ｂとネジ穴３４３ｃとが設けられている。挿入穴３４３ｂは、延長部材７の挿入突部７１の外形と同じ外縁を有する穴部である。ネジ穴３４３ｃは、内側にネジが切られた穴であり、挿入穴３４３ｂの下方に配置されている。
【００５６】
延長部材７の挿入突部７１が受部３４３の側面の挿入穴３４３ｂに挿入される。挿入突部７１が挿入穴３４３ｂに挿入されたとき、延長部材７の貫通孔７２ａが受部３４３のネジ穴３４３ｃと重なる。これら貫通孔７２ａ及びネジ穴３４３ｃに図示しない固定ネジが取り付けられることで延長部材７が受部３４３に固定され得る。延長部材７は、延長部材７が受部３４３に取り付けられているとき、直線部７０の端面７０ａが固定刃３４２の端面３４２ａの延長線上に位置するように構成されている。直線部７０の端面７０ａが固定刃３４２の端面３４２ａの延長線上に位置していることで、上述のように屋根材１０によって固定刃３４２が隠されるときでも、延長部材７を目安に屋根材の切断位置を確認できる。延長部材７は切断機本体３の受部３４３に着脱可能であり、延長部材７が不要なときは延長部材７を切断機本体３から取り外すことができる。
【００５７】
このような屋根材用切断機１では、切断機本体３に着脱可能であり、切断機本体３に取り付けられたとき、切断機本体３の側面から突出されるとともに、端面７０ａが固定刃３４２の端面３４２ａの延長線上に位置する延長部材７を備えるので、必要なときのみに延長部材７を切断機本体３に取り付けることができ、屋根材用切断機１の全体が不必要に大きくなることを回避できる。
【００５８】
また、延長部材７は、直線状に延在する直線部７０と、直線部７０の一端から突出された挿入突部７１とを有しており、挿入突部７１が切断機本体３の側面に設けられた挿入穴３４３ｂに挿入されたとき、直線部７０の端面７０ａが固定刃７４２の端面３４２ａの延長線上に位置するので、屋根材用切断機１の全体が不必要に大きくなることをより確実に回避できる。
【符号の説明】
【００５９】
１        屋根材用切断機
２        可動刃
２２      軸部
３        切断機本体
３４３ｂ  挿入穴
７        延長部材
７０      直線部
７０ａ    端面
７１      挿入突部
【図１】
2019138011.tif 000003
【図２】
2019138011.tif 000004
【図３】
2019138011.tif 000005
【図４】
2019138011.tif 000006
【図５】
2019138011.tif 000007
【図６】
2019138011.tif 000008
【図７】
2019138011.tif 000009
【図８】
2019138011.tif 000010
【図９】
2019138011.tif 000011
【図１０】
2019138011.tif 000012
【図１１】
2019138011.tif 000013
【図１２】
2019138011.tif 000014
【図１３】
2019138011.tif 000015
【図１４】
2019138011.tif 000016
【図１５】
2019138011.tif 000017
【図１６】
2019138011.tif 000018
【手続補正書】
【提出日】平成30年11月7日(2018.11.7)
【手続補正１】
【補正対象書類名】特許請求の範囲
【補正対象項目名】全文
【補正方法】変更
【補正の内容】
【特許請求の範囲】
【請求項１】
屋根材を切断するための屋根材用切断機であって、
固定刃を有する切断機本体と、
長手方向の一端側に設けられた軸部を中心に回動可能に前記切断機本体に取り付けられ、長手方向の他端側が持ち上げられた状態から前記他端側が押し下げられることにより、前記固定刃とともに前記屋根材を切断する可動刃と、
前記切断機本体に着脱可能であり、前記切断機本体に取り付けられたとき、前記切断機本体の側面から突出されるとともに、端面が前記固定刃の端面の延長線上に位置する延長部材と
を備え、
前記延長部材が前記切断機本体から取り外されることで前記固定刃の長手方向に係る前記屋根材用切断機の全長が短くなるように構成されている、
屋根材用切断機。
【請求項２】
前記延長部材は、直線状に延在する直線部と、前記直線部の一端から突出された挿入突部とを有しており、
前記挿入突部が前記切断機本体の側面に設けられた挿入穴に挿入されたとき、前記直線部の端面が前記固定刃の端面の延長線上に位置する、
請求項１記載の屋根材用切断機。
【請求項３】
前記切断機本体は、前記固定刃の手元側に配置されるとともに、前記可動刃の前記他端側が押し下げられた際に前記可動刃の他端側に設けられた突部が押し当てられる受部をさらに有しており、
前記挿入穴は、前記受部の側面に設けられている、
請求項２記載の屋根材用切断機。
【手続補正２】
【補正対象書類名】明細書
【補正対象項目名】０００６
【補正方法】変更
【補正の内容】
【０００６】
本発明に係る屋根材用切断機は、屋根材を切断するための屋根材用切断機であって、固定刃を有する切断機本体と、長手方向の一端側に設けられた軸部を中心に回動可能に切断機本体に取り付けられ、長手方向の他端側が持ち上げられた状態から他端側が押し下げられることにより、固定刃とともに屋根材を切断する可動刃と、切断機本体に着脱可能であり、切断機本体に取り付けられたとき、切断機本体の側面から突出されるとともに、端面が固定刃の端面の延長線上に位置する延長部材とを備え、延長部材が切断機本体から取り外されることで固定刃の長手方向に係る屋根材用切断機の全長が短くなるように構成されている。